(57)【要約】【課題】工事現場に設置することができ、小型で保守性に優れた簡易な広告ボックスを提供する。【解決手段】本発明による工事現場と外部との間に配置される仮囲いと共に配置される広告ボックスは、少なくとも一部が透明又は半透明の正面部と、広告ボックス内に設けられた、広告を表示する表示部とを有する。本発明の広告ボックスは、広告ボックス内に設けられた反射部材を備えることができる。【選択図】図１
2009237446.tif 000002
【特許請求の範囲】
【請求項１】
工事現場と外部との間に配置される仮囲いと共に配置される広告ボックスであって、
少なくとも一部が透明又は半透明の正面部と、
前記広告ボックス内に設けられた、広告を表示する表示部とを有することを特徴とする、広告ボックス。
【請求項２】
請求項１に記載の広告ボックスであって、
前記表示部は、内照式の表示部であることを特徴とする、広告ボックス。
【請求項３】
請求項１に記載の広告ボックスであって、
前記表示部は、外照式の表示部であることを特徴とする、広告ボックス。
【請求項４】
請求項１乃至３のいずれか１項に記載の広告ボックスであって、
さらに、前記広告ボックス内に設けられた反射部材を有することを特徴とする、広告ボックス。
【請求項５】
請求項４に記載の広告ボックスであって、
前記表示部は、前記正面部と対向する内部奥面に配置され、
前記反射部材は、前記広告ボックスの内部側面に配置されることを特徴とする、広告ボックス。
【請求項６】
請求項１乃至５のいずれか１項に記載の広告ボックスであって、
前記透明又は半透明の正面部は、ポリカーボネート板により形成されることを特徴とする、広告ボックス。
【請求項７】
請求項１乃至６のいずれか１項に記載の広告ボックスであって、
前記表示部は不燃性シートを備えることを特徴とする広告ボックス。
【請求項８】
請求項１乃至７のいずれか１項に記載の広告ボックスであって、
前記表示部は、取り外し可能であることを特徴とする広告ボックス。
【発明の詳細な説明】
【技術分野】
【０００１】
本発明は、広告ボックスに関し、特に工事現場に配置される仮囲いと共に配置される広告ボックスに関する。
【背景技術】
【０００２】
一般に、工事現場は、安全確保や環境美化の観点から、周囲が多数枚の連続的に配置された鋼板なのどの仮囲いパネルからなる塀に囲まれ、工事現場は塀によって周囲から隔離される。
【０００３】
ところで、従来から、ビル等の壁面や屋上等には、電子的なディスプレイ装置や看板等を利用した広告が存在している。しかし、仮囲いの表面には工事内容、施主、施工者等が一部に表示されているのみであり、美観を考慮したデザインなどが表示されることはあっても、通常、広告表示はされていない。これは、仮囲いは公道上に設置されることがあるため、規制により広告を表示することができないことなどによる。
【０００４】
仮囲いは大きな面積を有するので、ここに広告表示ができれば便宜である。そこで、かかる目的のために、仮囲いパネルを透明な材料で形成して、工事現場である私有地内に広告を設置し、外部から広告を視認できるようにすることが考えられる。しかし、仮囲いには通常、安全確保のため、強度に優れた金属製の材料が用いられることが多いので、透明な材料で仮囲いパネルを形成するのは困難である。
【０００５】
ここで、特許文献１は、仮囲いパネルの一部を工事現場外部から見て工事現場側に凹ませて空間を形成し、この空間の周囲の壁面に透明又は半透明のスクリーンを設置するとともに、スクリーンに工事現場側から映像を投影するプロジェクタを設置して、工事現場側に位置するスクリーンに広告等を表示する映像投影システムを開示している。
【特許文献１】特開２００４−１５１４８９号公報
【発明の開示】
【発明が解決しようとする課題】
【０００６】
しかし、特許文献１に記載の映像投影システムでは、仮囲いパネル自体を一部変形させているので、かかる仮囲いパネルの作成及び映像投影システムの設置に余分な手間がかかる。また、特許文献１に記載の映像投影システムは、スクリーンを３面に設置し、３面のスクリーンに対してそれぞれ映像を投影するプロジェクタが設置されているので、製造コストが高くなる。
【０００７】
さらに、特許文献１に記載の映像システムにおいては、映像が投影されるスクリーンが外部に開放されているので、映像が投影されるスクリーンが汚れる可能性がある。また、いたずら等によりスクリーンが汚されたり壊されたりする恐れもある。このように、特許文献１の映像投影システムは、保守性が十分とはいえない。
【０００８】
また、特許文献１に記載の映像投影システムは、一部を凹ませた仮囲いパネルの工事現場側に仮設ハウスを設置し、その中にプロジェクタ等を設置している。仮設ハウスは相当の重量を有するので、一旦、仮設ハウスを含む映像投影システムを設置したら、工事中にその位置を変更するのが困難である。
【０００９】
また、特許文献１に記載の映像投影システムでは、設置するスクリーンの大きさにより、表示できる広告のサイズが制限されるため、広告のサイズをスクリーンの大きさ以上にすることはできない。
【００１０】
本発明は、以上のような問題に鑑み、工事現場に容易に設置することができ、小型で保守性に優れた簡易な広告ボックスを提供することを目的としている。
【課題を解決するための手段】
【００１１】
上記問題を解決するため、本発明による工事現場と外部との間に配置される仮囲いと共に配置される広告ボックスは、少なくとも一部が透明又は半透明の正面部と、広告ボックス内に設けられた、広告を表示する表示部とを有する。
【００１２】
本発明の広告ボックスの表示部は、内照式又は外照式の表示部とすることができる。
また、本発明の広告ボックスは、広告ボックス内に設けられた反射部材を備えることができる。
【００１３】
また、本発明の広告ボックスの表示部は、透明又は半透明の正面部と対向する内部奥面に配置することができ、反射部材は、広告ボックスの内部側面に配置することができる。
また、本発明の広告ボックスの透明又は半透明の正面部は、ポリカーボネート板により形成することができる。
【００１４】
また、本発明の広告ボックスの表示部は、不燃性シートを備えることができる。
また、本発明の広告ボックスの表示部は、取り外し可能とすることができる。
【発明を実施するための最良の形態】
【００１５】
以下、図面を参照しながら、本発明の広告ボックスの実施形態を説明する。
図１は、本発明の広告ボックス１０が仮囲い１００と共に工事現場に設置された様子を示している。図２、図３、図４は、それぞれ本発明の広告ボックス１０の正面図、平面図、側面図を示している。図５は、広告ボックス１０の一部が分解された状態を示している。
【００１６】
図示の実施形態では、広告ボックス１０は、全体として概ね直方体形状の箱形の筐体からなる。図示の広告ボックス１０は、正面部材１２、奥面部材１４、両側面部材１６、天井部材１８、床面部材２０から形成されており、これらにより内部空間が形成されている。図示の例では、広告は奥面部材１４に表示される。広告ボックス１０を構成する各部材は、ボルトなどの公知の結合手段で組立てることができる。
【００１７】
広告ボックス１０の高さは、仮囲いパネル１００と同程度の高さであり、例えば３ｍ程度である。広告ボックス１０の横幅は概ね１．６ｍ程度、奥行きは１ｍ程度である。広告ボックス１０の全体の寸法及び形状は、必要とされる仮囲いの高さ、所望の広告サイズ、広告ボックスの設置及び移動等の便宜を考慮して、本発明の趣旨を逸脱しない限り様々な変更が可能である。例えば、広告ボックスの水平方向の断面形状が台形状になるようにしてもよく、また、広告が表示される面の一部が曲面になるような形状にすることもできる。広告ボックス１０の奥行きは、広告の視認性などの観点から様々な寸法にすることができる。但し、奥行きは、広告設置面が、工事現場である私有地と公道との境界線１０２よりも工事現場側に位置することができるような寸法であることが必要である。
【００１８】
また、広告ボックス１０の寸法及び重量は、広告ボックス１０を分解することで、クレーンなどの重機を用いずに人力で移動させることができる程度の重量であることが好ましい。例えば、以下により詳細に説明する蛍光灯を用いた内照式の表示方式を用いた広告ボックスでは、内照式の広告表示部２６を備える奥面部材１４は約１５０ｋｇ程度に形成することができる。また、奥面部材１４以外の部材の合計重量は約３００ｋｇ程度に形成することができる。この程度の重量であれば、広告ボックス１０を分解すれば、数人で安全に移動させることができる。もちろん、広告ボックス１０を形成する各部材の材料、寸法、広告の表示方式等の選択により、より軽量の広告ボックスを作成することもできる。
【００１９】
図示の広告ボックス１０の正面部２２を形成する正面部材１２は、透明又は半透明のパネル部材からなる。従って、外部から広告ボックス１０内の広告を視認することができる。また、透明又は半透明の正面部材１２により、広告表示面が外部から隔離されているので、広告表示面が汚れることはない。透明のパネル部材として、安全面への配慮から、耐衝撃性及び耐候性等に優れるポリカーボネート板を用いることが好ましい。もちろん、透明又は半透明の材料であれば、ガラス材や他のプラスチック材料などの他の材料で作成することもできる。
【００２０】
図示の実施形態では、３枚のポリカーボネート板を３枚継ぎ合わせて、正面部材１２としている。正面部２２のポリカーボネート板を１枚で形成してもよい。１枚のポリカーボネート板とすれば、継ぎ目がなくなり視認性が向上する。
【００２１】
なお、必ずしも広告ボックス１０の正面部２２全体を透明又は半透明部材で形成しなくてもよく、広告の視認性を損なわない限度で正面部２２の一部を金属材料などの不透明な材料で形成することができる。例えば、広告ボックス１０の正面部２２の周縁領域を、より耐久性、強度に優れる鋼板などの金属材料で形成し、正面部２２の中央領域のみを透明又は半透明材料で形成してもよい。これにより、広告の視認性を損なうことなく、広告ボックス１０の形状の安定性及び強度等を向上させることができる。さらに、広告ボックス１０の正面部２２の周縁領域を金属材料などで補強するとともに、広告ボックス１０の正面部２２の両端及び下端等に該金属材料でスロットを設け、そのスロットをガイドとして、１枚のポリカーボネート板又は複数のポリカーボネート板を継ぎ合わせた１枚の透明パネルを挿入するように構成してもよい。
【００２２】
広告ボックス１０の正面部材１２以外の部材１４〜２０は、仮囲いパネル１００と同様の材料、例えば鋼板などの金属材料で形成することができる。もちろん、金属材料以外で形成してもかまわない。
【００２３】
図示の実施形態では、広告ボックス１０は、広告ボックス１０の内部奥面２４に広告表示部２６を有する。広告ボックス１０に配置される広告表示部２６の表示方式は任意であり、現在又は将来において利用可能なあらゆる表示方式を利用できる。例えば、図３は、内照式の表示部２６を示している。内照式の表示方式とすれば、夜間でも広告を視認することができるようになる。また、市街地などにおいて利用される場合には、内照式の広告は、街灯としての役割を果たすことができるので、通行人にも有益である。内照式の広告の照明手段として蛍光灯やＬＥＤなどの照明手段を用いることができる。広告のサイン部分には、防災性の観点から不燃性のシートを用いることが好ましい。不燃性シートとして、パナグラフィックス（Panagraphics；登録商標）などを利用することができる。
【００２４】
また、広告ボックス１０内の広告表示部２６は、外照式の表示方式とすることもできる。例えば、図４に示されているように、広告ボックス１０内の内部側面２８、天井面３０、床面３２にスポットライト等の外部照明手段３４を設け、広告を照らすこともできる。内照式及び外照式の表示方式のうちの一方のみを採用してもよいし、両方を採用して、適宜使い分けてもよい。あるいは、照明手段を設けずに、単に広告を表示するだけでもよい。
【００２５】
また、他の実施形態として、図４に示された外部照明手段３４の代わりに、プロジェクタ等の投影手段を設けて、広告ボックス１０内に広告映像を投影するようにしてもよい。
さらに、内照式及び外照式のいずれの方式による広告ボックスにおいても、照度センサを設けて、外部の明るさに応じて、自動的に照明するようにしてもよい。さらに、人感センサ等を利用して、人が近づいた時にだけ照明するようにしてもよい。
【００２６】
いずれの広告の表示方式においても、広告表示部２６を備える奥面部材１４は、他の部材（側面部材１６、天井部材１８、底面部材２０）から取り外し可能であることが望ましい。図５は、広告ボックス１０の一部を分解した状態で示した図である。図５においては、広告ボックス１０は、奥面部材１４が取り外されている。奥面部材１４を取り外し可能とすれば、広告を変更する場合には、奥面部材１４を取り外して広告を変更することができる。あるいは、奥面部材１４ごと他の広告が表示された奥面部材１４に取り替えることもできる。
【００２７】
図示の広告ボックス１０の内部側面２８には、反射部材３６を設けることができる。これにより、広告の斜めからの視認性を向上させることができ、内部側面２８に広告を配置せずとも内部側面２８に広告を配置したのと同等の効果を得ることができる。反射部材３６を設ける代わりに、内部側面２８を鏡面加工してもよい。広告ボックス１０の側面部材１６は、仮囲いパネル１００と同じ、例えば鋼板などの金属材料で形成することができるので、内部側面２８を鏡面加工することが可能である。この場合、側面部材１６が反射部材３６としての機能を兼ねることになる。あるいは、反射部材３６として、鏡面シート又はフィルムを貼り付けてもよい。
【００２８】
工事中に広告ボックス１０の配置を変更する場合には、図５のように広告ボックス１０を仮囲い１００から分離し、容易に広告ボックス１０を移動させることができる。広告ボックス１０が配置されていた場所は、仮囲いパネルで容易に塞ぐことができる。また、広告ボックス１０を、図５のように分割すれば移動が容易になる。さらに、奥面部材１４だけでなく、正面部材１２、側面部材１６、天井部材１８等も分割すれば、クレーンなどの重機等を用いなくても人力で広告ボックスを移動させることができる。もちろん、広告ボックス１０を分割せずに、クレーンなどの重機で移動させることもできる。
【００２９】
以上のように、本発明の実施形態を図面とともに説明してきたが、本発明の実施形態は図示の例に限られない。例えば、図示の例では、広告ボックスは直方体形状の箱形であるが、他の形状の広告ボックスとしてもよい。他の形状の広告ボックスとする場合、広告の表示方式及び配置場所、反射部材の配置場所、透明板の位置、大きさ、範囲などは、広告ボックスの具体的な形状や広告の視認性を考慮して、適宜変更すればよい。
【００３０】
［発明の効果］
本発明による広告ボックスは、独立した小型のユニットとして形成されているので、仮囲いとは独立して形成することができる。本発明の広告ボックスは、正面部の少なくとも一部が透明又は半透明の部材から形成されているので、広告の視認性を損なうことなく、広告面を汚れ等から保護できる。また、広告ボックス内に反射部材を設けることで、簡易な構成で広告の視認性を向上させることができる。さらに、本発明の広告ボックスは簡易な構成であるため、工事中に広告ボックスの位置を変更したい場合にでも、比較的容易に配置を変更することができる。
【００３１】
さらに、本発明の広告ボックスによれば、広告ボックスを連続して並置させることにより、１つの広告ボックスでは表現できない、より大きな広告を表示させることもできる。すなわち、本発明の広告ボックスを用いれば、広告ボックスの配置と広告のデザイン次第で、遠くから見た場合、あるいは近くから見た場合のいずれの場合にでも、最適な広告効果を期待できる。
【図面の簡単な説明】
【００３２】
【図１】本発明の一実施形態にかかる広告ボックスの設置例を示す図である。
【図２】本発明の一実施形態にかかる広告ボックスの正面図である。
【図３】本発明の一実施形態にかかる広告ボックスの平面図である。
【図４】本発明の一実施形態にかかる広告ボックスの側面図である。
【図５】本発明の一実施形態にかかる広告ボックスの一部を分解した図である。
【符号の説明】
【００３３】
１０  広告ボックス
２２  正面部
２６  広告表示部
３６  反射部材
１００  仮囲い
【図１】
2009237446.tif 000003
【図２】
2009237446.tif 000004
【図３】
2009237446.tif 000005
【図４】
2009237446.tif 000006
【図５】
2009237446.tif 000007
【手続補正書】
【提出日】平成21年4月23日(2009.4.23)
【手続補正１】
【補正対象書類名】特許請求の範囲
【補正対象項目名】請求項１
【補正方法】変更
【補正の内容】
【請求項１】
工事現場と工事現場の外部との間に配置される広告ボックスであって、
少なくとも一部が透明又は半透明の正面部と、
前記広告ボックス内に設けられた、広告を表示する表示部とを有し、
前記表示部が工事現場側に位置し、
前記正面部は、工事現場の外部から観察した場合において、前記広告ボックスに隣接して配置される仮囲いの表面と同一平面上に配置可能に構成され、
前記広告ボックスは、工事現場と工事現場の外部との間に配置される仮囲いから独立したユニットとして自立可能である、ことを特徴とする、広告ボックス。
【手続補正２】
【補正対象書類名】明細書
【補正対象項目名】００１１
【補正方法】変更
【補正の内容】
【００１１】
上記問題を解決するため、本発明による工事現場と工事現場の外部との間に配置される広告ボックスは、少なくとも一部が透明又は半透明の正面部と、広告ボックス内に設けられた、広告を表示する表示部とを有する。ここで、表示部は工事現場側に位置する。また、正面部は、工事現場の外部から観察した場合において、広告ボックスに隣接して配置される仮囲いの表面と同一平面上に配置可能に構成される。さらに本発明の広告ボックスは、工事現場と工事現場の外部との間に配置される仮囲いから独立したユニットとして自立可能である。